(57)【要約】【課題】本考案は、半身不随者や負傷、骨折などで片手が不自由な者がいかなる手助けをも伴わず且つ自らの手で容易に利き腕側の手に手袋の装着を行える構造でかつ袖口部の乱れを補正できる構造の手袋装着支援具を提案することを課題とする。【解決手段】本考案の手袋装着支援具１００は、手袋を戴置する基板２と、基板２に対して開閉可能に取り付けられ、手袋の開口の一部を挟み込んだ状態で閉じることにより手袋を基板２に対して一時固定できる操作板１とを備え、基板２に対する開閉を操作する操作部１３は、枢支された軸を中心に操作板を上下に揺動可能とする構造を備え、使用者が操作部１３に載せ置いた手で操作部１３を揺動させる操作によって操作板１の一端側の開閉を可能とせしめる。さらに、操作部１３は、使用者が装着した手袋の袖口に差し入れて、手袋の袖口の内側へのめくれに引っ掛けることができるフック状突起１４を備えるようにすれば、袖口の乱れを補正することが可能になる。【選択図】図２
0003208186.tif 000002
【実用新案登録請求の範囲】
【請求項１】
手袋を戴置する基板と、
前記基板に対して開閉可能に取り付けられ、前記手袋の開口の一部を挟み込んだ状態で閉じることにより前記手袋を前記基板に対して一時固定できる操作板とを備え、前記操作板により前記手袋を一時固定しておき、前記手袋の開口から手を進入させることにより装着可能とせしめた手袋装着支援具であって、
前記操作板は前記基板に枢支され、前記操作板の一端側が前記基板に対して押圧するように付勢された構造を備えたものであり、
前記基板に対する開閉を操作する操作部が、前記枢支された軸を中心に前記操作板を上下に揺動可能とする構造を備えたものであり、
使用者が前記操作部に載せ置いた手で前記操作板を揺動させる操作によって前記操作板の一端側の開閉を可能とせしめ、
さらに、前記操作部は、前記使用者が装着した前記手袋の袖口に差し入れて、前記手袋の袖口の内側へのめくれに引っ掛けることができるフック状突起を備えた手袋装着支援具。
【請求項２】
前記操作部は、金属棒等を略コの字に曲折して形成し、その両端を前記操作板に固定し、
前記フック状突起は、その先端を、針金等により円環状若しくは楕円環状に形成した輪又は円板若しくは楕円板に、側面視でＶ字、Ｕ字、コの字のいずれかの形状になるよう柄をつけて、前記手袋装着支援具を前記使用者がベルト等に装着したとき、やや下向きになるように前記操作部に固定されることを特徴とする請求項１に記載の手袋装着支援具。
【請求項３】
前記基板の一部に前記使用者の衣服又はズボンベルトに差し入れて掛止できる掛止部材を設け、前記掛止部材を介して前記基板が下方へ移動することを制止せしめる請求項１又は２に記載の手袋装着支援具。
【請求項４】
前記基板の一部にストラップを取り付け、前記使用者の肩に前記ストラップをかけることにより前記基板が下方へ移動することを制止せしめる請求項１又は２に記載の手袋装着支援具。
【考案の詳細な説明】
【技術分野】
【０００１】
本考案は、片手が使えない人が、利き腕側の手に手袋を容易に装着することができる手袋装着支援具に関する。
【背景技術】
【０００２】
半身不随者や負傷、骨折などで片手が不自由な者にとって、利き腕によって不自由な方の手に手袋を装着することはできるものの、利き腕側の手に手袋を装着することは非常に困難であり、依然として介護者の介助が必要となる。従来の手袋装着支援具としては、下記特許文献１ないし８が手袋装着支援具を提案している。
【０００３】
ところが、特許文献１ないし８に係る手袋装着支援具は、天然ゴム、合成ゴムまたは合成樹脂からなる伸縮性を有する手袋の装着装置に関するものであり、木綿や皮革の手袋に適用できない。また、装置がおおがかりで複雑な構造であるため、家庭での使用や外出先で携帯使用に適していない。
【０００４】
そこで、本願出願人は、このような問題に鑑み、半身不随者や負傷、骨折などで片手が不自由な者がいかなる手助けをも伴わず且つ自らの手で容易に利き腕側の手に手袋の装着を行える構造でかつ製造コストが低減できる手袋装着支援具を提案している（特許文献９：実用新案登録第３２０４３６１号公報）。
【先行技術文献】
【特許文献】
【０００５】
【特許文献１】特開２０１１−５２３６４号公報
【特許文献２】特開２００４―２２９８７２号公報
【特許文献３】特開２００２―２２４１３９号公報
【特許文献４】特開２００１―６４８１１号公報
【特許文献５】特開平１０―１０８８７０号公報
【特許文献６】特開平１０―２０３号公報
【特許文献７】特開平７―２６８７０７号公報
【特許文献８】実登３０１５６５３号公報
【特許文献９】実用新案登録第３２０４３６１号公報
【考案の概要】
【考案が解決しようとする課題】
【０００６】
上記の本願出願人が提示した手袋装着支援具は、優れた構造を備えているが、袖口部の乱れを補正できる機能がなかった。そこで、本考案は、半身不随者や負傷、骨折などで片手が不自由な者がいかなる手助けをも伴わず且つ自らの手で容易に利き腕側の手に手袋の装着を行える構造でかつ袖口部の乱れを補正できる構造の手袋装着支援具を提案することを課題とする。
【課題を解決するための手段】
【０００７】
上記問題を解決するために、本考案の手袋装着支援具は、手袋を戴置する基板と、基板に対して開閉可能に取り付けられ、手袋の開口の一部を挟み込んだ状態で閉じることにより手袋を基板に対して一時固定できる操作板とを備え、この操作板により手袋を一時固定しておき、手袋の開口から手を進入させることにより装着可能とせしめた手袋装着支援具である。また、操作板は基板に枢支され、操作板の一端側が基板に対して押圧するように付勢された構造を備えている。基板に対する開閉を操作する操作部は、枢支された軸を中心に操作板を上下に揺動可能とする構造を備え、利用者が操作部に載せ置いた手で操作板を揺動させる操作によって操作板の一端側の開閉を可能とせしめる。さらに、操作部は、使用者が装着した手袋の袖口に差し入れて、手袋の袖口の内側へのめくれに引っ掛けることができるフック状突起を備えるようにすれば、袖口の乱れを補正することが可能になる。なお、フック状突起は、側面視でＵ字、Ｖ字、コの字の形状を選択してよい。
【０００８】
また、基板の一部に利用者の衣服又はズボンベルトに差し入れて掛止できる掛止部材を設け、掛止部材を介して基板が下方へ移動することを制止せしめるようにしてもよいし、基板の一部にストラップを取り付け、利用者の肩にこのストラップをかけることにより基板が下方へ移動することを制止せしめるようにしてもよい。
【考案の効果】
【０００９】
本考案に係る手袋装着支援具は、通常状態では板バネの付勢により操作板の先端が閉じているが、操作部を軽く押圧すれば操作板が搖動する作用がある。また、手袋を装着する側で基板を掛止部材に押し付けることにより、同様に操作板が搖動する。このため、操作板の先端が容易に基板から離間するので、使用者がその手に手袋を装着して開放するまでの操作を容易におこなうことができ、使いやすいという効果がある。また、衣服のベルトの一部を挟み込んで掛止するように構成すれば、携帯することができ利便性があるという効果がある。さらに、手袋袖口部の乱れを補正できる構造があるため、使用者にとって便利である。
【図面の簡単な説明】
【００１０】
【図１】本考案に係る手袋装着支援具１００の全体構成を示す斜視図である。
【図２】本考案に係る手袋装着支援具１００の側面図で、（ａ）は操作前の閉鎖状態、（ｂ）は操作後の開口状態を示す。
【図３】本考案に係る手袋装着支援具１００の操作板１の内面（ａ）と外面（ｂ）を示す図である。
【図４】本考案に係る手袋装着支援具１００の基板２の内面（ａ）と外面（ｂ）を示す図である。
【図５】本考案に係る手袋装着支援具１００の底面図である。
【図６】本考案に係る手袋装着支援具１００を、ズボンのベルトに挟み込んで掛け止めた状態を示す図である。
【図７】本考案に係る手袋装着支援具１００の使用手順を示す図である。
【図８】本考案に係る手袋装着支援具１００を使用して、手袋を手に装着した状態を示す図である。
【図９】本考案に係る手袋装着支援具１００を使用して、手袋の袖口の乱れを補正する手順を示す図である。
【考案を実施するための形態】
【００１１】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１２】
実施例を図面を参照して詳細に説明する。図１は、本考案の実施例に係る手袋装着支援具１００の全体構成を示す斜視図である。まず、手袋装着支援具１００の全体構成を説明する。手袋装着支援具１００は、大別すると、操作板１と基板２とを備える。すなわち、手袋Ｇを戴置する基板２と、基板２に対して開閉可能に取り付けられ、手袋Ｇの開口の一部を挟み込んだ状態で閉じることにより手袋Ｇを基板２に対して一時固定できる操作板１とを備える。この操作板１により手袋Ｇを一時固定しておき、手袋Ｇの開口から手を進入させることにより手袋Ｇを利用者の手Ｈに装着可能とする。上記のとおり、基板２は、操作板１が可動側の部材であるのに対し、手袋装着支援具１００の固定側の部材である。操作板１は、手袋装着支援具１００の可動側の部材である。
【００１３】
操作板１は、基板２に対する開閉を操作する操作部１３を備える。操作部１３は、枢支された軸を中心に操作板１を上下に揺動可能とする構造を備えている。利用者が操作板１に載せ置いた手で操作板を揺動させる操作をすることで、操作板１の一端側の開閉を可能にする。なお、操作部１３は、使用者が装着した手袋Ｇの袖口に差し入れて、袖口の内側へのめくれに引っ掛けることができるフック状突起１４を備えている。このフック状突起１４により、手袋Ｇの袖口の乱れを補正することが可能になる。なお、フック状突起は、側面視でＵ字、Ｖ字、コの字の形状を選択してよい。
【００１４】
また、基板２の一部に利用者の衣服又はズボンベルトに差し入れて掛止できる掛止部材２３を設けてもよい。この掛止部材２３を介して基板２が下方へ移動することを制止せしめることができる。
【００１５】
図２を参照する。図２は、本考案に係る手袋装着支援具１００の側面図で、（ａ）は操作前の閉鎖状態、（ｂ）は操作後の開口状態を示す。ここで、操作前の状態とは、操作板１の操作部１３を操作しない状態、つまり通常の状態をいい、操作後の状態とは、操作部１３を基板２の方向に押し下げた状態をいう。板バネ３（図示していない）の付勢により、図２（ａ）に示すとおり、操作板１の操作部１３は基板２から離隔し、他方、操作板１の先端は、基板２に閉じている状態である。このような手袋装着支援具１００の構造により、操作部１３の操作で、手袋Ｇの開口部の一部を操作板１の先端により基板２に一時固定し、さらに手袋Ｇを開放することができるのである。
【００１６】
図３を参照する。図３は、本考案に係る手袋装着支援具１００の操作板１の内面（ａ）と外面（ｂ）を示す図である。操作板１は、操作板片１０と、手袋Ｇを一時固定できる手袋挟持歯１１と、手袋挟持歯１１が基板２から離隔するように操作する操作部１３とからなる。また、操作部１３側の操作板１と基板２との間には、操作板１の手袋挟持歯１１が基板２の上面に閉じる方向に付勢されるように、板バネ３が装着される。さらに、操作板１は基板２を枢支する一対の第１の噛合せ部材１２ａ、１２ｂを備える。なお、操作部１３は、手袋Ｇの袖口に差し入れることができるフック状突起１４を備えている。フック状突起１４により、手袋Ｇの袖口の乱れを補正することが可能になる。操作部１３は、金属棒等を略コの字に曲折して形成し、その両端を操作板１３に固定するとよい。また、フック状突起は、側面視でＵ字、Ｖ字、コの字の形状を選択してよい。なお、フック状突起１４の先端は、針金等により円環状又は楕円環状にして、又は円板や楕円板等に、柄をつけて側面視でＶ字にして操作部１３の所望の位置に配設することができる。図１、２、３において示されているとおり、実施例１において、フック状突起１４は、操作部１３の略コの字形状の中央近辺に、手袋装着支援具１００をベルト等に装着したとき、やや下向きになるように固定されると好ましい。
【００１７】
図４を参照する。図４は、本考案に係る手袋装着支援具１００の基板２の内面（ａ）と外面（ｂ）を示す図である。基板２は、基板片２０と、手袋Ｇを一時固定できる手袋挟持歯２１と、基板２の一部に利用者の衣服又はズボンベルトに差し入れて掛止できる掛止部材２３とからなる。この掛止部材２３を介して基板２が下方へ移動することを制止せしめることができる。また、前記したように、操作部１３側の操作板１と基板２との間には、操作板１の手袋挟持歯１１が基板２の上面に閉じる方向に付勢されるように、板バネ３が装着される。さらに、基板２は操作板１を枢支する一対の第２の噛合せ部材２２ａ、２２ｂを備える。なお、一対の第２の噛合せ部材２２ａ、２２ｂは外側部に突起２２０ａ、２２０ｂを備える。
【００１８】
図３に示す操作板１の内面と、図４に示す基板２の内面とを合わせ、一対の第１の噛合せ部材１２ａ、１２ｂと一対の第２の噛合せ部材２２ａ、２２ｂとを噛合わせれば、操作板１の内面と基板２の内面とに装着された板バネ３によって、操作板１の先端が基板２の上面に閉じる方向に付勢され、手袋挟持歯１１と手袋挟持歯２１とで手袋Ｇを一時的に固定することが可能になる。なお、一対の第１の噛合せ部材１２ａ、１２ｂを外側、一対の第２の噛合せ部材２２ａ、２２ｂを内側に配置して噛み合わせ、一部で当接するようにすれば、当接点が枢軸となる。そして、一対の第１の噛合せ部材１２ａ、１２ｂと、一対の第２の噛合せ部材２２ａ、２２ｂとは、閉鎖状態では突起２２０ａ、２２０ｂで噛み合わせのストッパとなる。図２に示すとおり、手袋挟持歯１１と手袋挟持歯２１とは、歯の先端が当接しないようにするとよい。手袋Ｇの開口付近を面で強く挟持し、手袋Ｇが手袋装着支援具１００から外れることを防止することができるからである。
【００１９】
図５を参照する。図５は、本考案に係る手袋装着支援具１００の開口状態の底面図である。操作後の状態とは、操作部１３を基板２の方向に押し下げた状態をいう。板バネ３の付勢により、図５に示すとおり、操作板１の操作部１３を基板２に近づける操作をすると、操作板１の先端は基板２から離れて、あたかも手袋装着支援具１００の口が開いたような状態となる。
【００２０】
なお、手袋装着支援具１００の各構成部品の材質は、金属、木、丈夫で剛性のある樹脂を用いることができる。
【００２１】
次に、実施例に係る手袋装着支援具１００を使用して、手袋Ｇを装着する手順を説明する。
【００２２】
図６と図７を参照する。図６は、本考案に係る手袋装着支援具１００を、ズボンのベルトＢに挟み込んで掛け止めた状態を示す図である。図７は、本考案の実施例に係る手袋装着支援具１００の使用手順を示す図である。まず、前述した操作状態、すなわち、利用者は、操作板１に載せ置いた手で操作板を揺動させる操作を行って、手袋装着支援具１００を掛止部材２３で利用者の衣服のポケット又はズボンのベルトＢに差し入れて掛止する（図６及び図７（ａ））。次に、使用者は、手袋Ｇの開口部を把持して手繰り寄せながら、手Ｈ又は腕を操作板１の操作部１３に載せ基板２の方向に軽く押圧する。そうすると操作板の先端が基板２から離間して、手袋Ｇの開口部の一部が基板２と操作板１との間に入り込む。そして、使用者が手Ｈ又は腕を操作部１３から開放すると、図７（ｂ）に示す通常状態の手袋装着支援具１００となり、手袋挟持歯１１と手袋挟持歯２１とで手袋Ｇを一時的に固定することができる。ここで、図７（ｃ）に示すとおり、使用者は手Ｈを手袋Ｇの開口部に差し入れ、手袋Ｇを装着し終える時点で、再度、腕を操作板１の操作部１３に載せ置き基板２の方向に軽く押圧する。そうすると、図７（ｄ）に示すとおり、操作板１の先端が基板２から離間して、腕が開放されて手Ｈに手袋Ｇが装着される。
【００２３】
図８を参照する。図８は、本考案に係る手袋装着支援具１００を使用して、手袋Ｇを手に装着した状態を示す図である。図８に示すとおり、使用者は手袋Ｇを手に装着できたものの、袖口が乱れている。利き腕である方に手袋Ｇを装着した場合、袖口の乱れの補正は極めて困難である。
【００２４】
図９は、本考案に係る手袋装着支援具１００を使用して、手袋Ｇの袖口の乱れを補正する手順を示す図である。まず、使用者は、装着した手袋Ｇの開口部をフック状突起１４に差し入れる（図９（ａ））。次に、差し入れたフック状突起１４の先端を、手袋Ｇの袖口の乱れに引っ掛ける（図９（ｂ））。そして、使用者は、手Ｈ又は腕を引き抜くと手袋Ｇの袖口の乱れは補正される（図９（ｃ））。
【００２５】
なお、基板２の一部にストラップ（図示していない）を取り付け、使用者の肩にこのストラップをかけることにより基板２が下方へ移動することを制止せしめるようにしてもよい。
【００２６】
以上、本考案に係る手袋装着支援具における好ましい実施形態を図示して説明してきたが、本考案の技術的範囲を逸脱することなく種々の変更が可能であることは理解されるであろう。
【産業上の利用可能性】
【００２７】
本考案に係る手袋装着支援具は、その構成により、半身不随者や負傷、骨折などで片手が不自由な者が、自らの手で容易に利き腕側の手に手袋の装着を行え、使いやすく、また、衣服のポケットやベルトの一部を挟み込んで掛止するように構成すれば、携帯することができるので、福祉用具として広く利用することができる。
【符号の説明】
【００２８】
１００  手袋装着支援具
１  操作板
１１  手袋挟持歯
１２ａ  １２ｂ  第１の噛合せ部材
１３  操作部
１４  フック状突起
１４０  先端
２  基板
２１  手袋挟持歯
２２ａ  ２２ｂ  第２の噛合せ部材
２２０ａ  ２２０ｂ  突起部
２３  掛止部材
３  弾性体（板バネ）
Ｇ  手袋
Ｈ  手
【図１】
0003208186.tif 000003
【図２】
0003208186.tif 000004
【図３】
0003208186.tif 000005
【図４】
0003208186.tif 000006
【図５】
0003208186.tif 000007
【図６】
0003208186.tif 000008
【図７】
0003208186.tif 000009
【図８】
0003208186.tif 000010
【図９】
0003208186.tif 000011